(57)【特許請求の範囲】
【請求項１】
上方に開口が形成され内部に洗浄剤と湯水とを収容する収容空間が形成された容器本体と、
この容器本体の上端側中途部に載置又は係止され下方に移動することが規制されてなるとともに中央又はその近傍には挿通穴が形成された蓋体と、
上端には昇降操作部が形成され、中途部は上記蓋体に形成された挿通穴に挿通されてなる昇降操作棒と、
この昇降操作棒の下端に配置されてなるとともに、洗浄剤及び泡が通過する多数の貫通穴が形成された昇降板と、を備えてなるとともに、
上前昇降板の下面には、固形石鹸と摺接させることにより該固形石鹸を削ぎ取る削ぎ取り部が形成されてなることを特徴とする洗浄剤用泡だて器。
【請求項２】
前記削ぎ取り部は、前記各貫通穴を囲むように形成され、削ぎ取られた固形石鹸が該貫通穴内に侵入するように構成されてなることを特徴とする請求項１記載の洗浄剤用泡だて器。
【請求項３】
前記容器本体は、円形状の底板部と、この底板部から起立してなる円筒状の側板部と、を備え、
上記側板部の上縁側には、該上縁側にかけて拡径されてなる拡径部が形成され、前記蓋体は円盤状に成形されてなるとともに、上記拡径部に係止される外径を有してなることを特徴とする請求項１又は２記載の何れかの洗浄剤用泡だて器。
【請求項４】
前記昇降操作棒と昇降板とは着脱可能とされてなることを特徴とする請求項１，２又は３記載の何れかの洗浄剤用泡だて器。
【発明の詳細な説明】
【技術分野】
【０００１】
本発明は、例えば液体石鹸や粒状石鹸等の石鹸類や洗顔料等の洗浄剤を用いて泡を作りだす際に使用される洗浄剤用泡だて器に関するものである。
【背景技術】
【０００２】
これまで上記石鹸等の洗浄剤は、手指や顔等の身体を洗浄するために使用されているが、特に洗顔の際においては、手指で顔の皮膚（肌）を擦ることにより、肌に炎症を起こし、この炎症により肌のキメが乱れたり荒れたりし、こうした症状により保水力を失って乾燥し、毛穴の黒ずみを招く等のトラブルを生ずることとなる。したがって、近年では、洗浄剤を用いて肌を洗浄する際には、その洗浄剤から作った泡を用いる場合が多い。特に、粒子径が細かい泡を洗顔の際に使用することにより、泡の単位体積当たりの表面積が増大し、皮膚の表面に存在する汚れを有効に除去することができる効果がある。
【０００３】
そこで、こうした洗浄剤から泡を作りだす方法ないし器具等は、これまで種々のものが使用され又は提案されている。この方法は、例えば、固形石鹸又は液体石鹸を両手で擦りながら泡を作る方法以外に、繊維等から所定のメッシュが形成されたネットを用いる方法が主流とされている。また、上下に分割可能な容器内に球状の物体が封入されたものであり、この容器内に石鹸と少量の湯水を入れて繰り返し振ることにより該容器内において泡を立てる泡だて器（特許文献１参照）や、左右に分割可能な容器内に網状体を配置したものであり、この容器内に上記石鹸と少量の湯水を入れて繰り返し振ることにより該容器内において泡を立てる泡だて器（特許文献２参照）が提案されている。
【先行技術文献】
【特許文献】
【０００４】
【特許文献１】特許第３６９２３６１号公報
【特許文献２】特許第４５９６５３６号公報
【発明の概要】
【発明が解決しようとする課題】
【０００５】
しかしながら、上述したように、使用者が両手で泡を作りだす方法では、人によっては中々困難である場合が多いばかりではなく、粒子径の細かい泡を作ることは困難である。また、上記ネットを使用する場合では、粒子径の細かい泡を作りだすにはやや時間が係るとともに、使用後において水を含んだ状態が継続することから黴等の細菌が繁殖する温床になる場合が多く、バスルームや洗面台等を汚損する危険性もある。また、上記特許文献１及び２に係る泡だて器は、何れも容器内部で泡を立てるものであることから、泡を取り出して洗顔等する場合にはその都度容器を開放操作する必要が有り、極めて使い勝手が悪い。
【０００６】
そこで、本発明は、上述した従来の洗浄剤の泡立て方法や泡だて器が有する課題を解決するために提案されたものであって、簡単に且つ粒子径が細かい泡を作りだすことができるとともに、黴等の細菌が繁殖する危険性も回避することができ操作性にも優れた新規な洗浄剤用泡だて器を提供することを目的とするものである。
【課題を解決するための手段】
【０００７】
本発明は、上記課題を解決するために提案されたものであって、第１の発明（請求項１記載の発明）は、上方に開口が形成され内部に洗浄剤と湯水とを収容する収容空間が形成された容器本体と、この容器本体の上端側中途部に載置又は係止され下方に移動することが規制されてなるとともに中央又はその近傍には挿通穴が形成された蓋体と、上端には昇降操作部が形成され、中途部は上記蓋体に形成された挿通穴に挿通されてなる昇降操作棒と、この昇降操作棒の下端に配置されてなるとともに、洗浄剤及び泡が通過する多数の貫通穴が形成された昇降板と、を備えてなるとともに、上前昇降板の下面には、固形石鹸と摺接させることにより該固形石鹸を削ぎ取る削ぎ取り部が形成されてなることを特徴とするものである。
【０００８】
上記第１の発明に係る洗浄剤用泡だて器では、上記容器本体内に適当量の（液体石鹸等の）洗浄剤と少量の湯水とを収容し、上記蓋体を容器本体の上端側中途部に載置又は係止させるとともに、上記昇降操作棒の上端に形成された昇降操作部を把持しながら、該昇降操作棒を昇降操作する（上下動操作）と、こうした昇降操作に伴って上記昇降板が昇降する。すると、こうした昇降板の昇降動作により、上記容器本体内に収容された洗浄剤と湯水とは混合されるだけではなく、この昇降板に形成された多数の貫通穴を通過して該昇降板の上方及び下方に繰り返し移動する。こうした洗浄剤と湯水との混合物の移動が繰り返されることにより、上記蓋体の下方には多数の泡が作りだされる。
【０００９】
特に、この第１の発明に係る洗浄剤用泡だて器では、上記容器本体の上端側に蓋体が載置され又は係止されていることから、上記昇降板に形成された貫通穴には、容器本体内で作りだされた泡も上方から下方及び下方から上方に繰り返し通過する。すなわち、上記昇降操作棒を下降させることにより昇降板に形成された多数の貫通穴を湯水と混合された洗浄剤が通過することにより作りだされ昇降板の上方に位置した泡は、次いで、上記昇降板が上昇操作されることにより、上記蓋体と昇降板との間で圧縮され、再び上記多数の貫通穴を通過して昇降板の下方に移動する。したがって、こうして繰り返される昇降板の昇降操作により、洗浄剤と湯水との混合物ばかりではなく、一旦作られた泡も繰り返し多数の貫通穴を通過することから、より細かい粒子径の泡を作りだすことができる。そして、所定時間に亘って上記昇降操作棒を昇降操作することによって泡が作り出された場合には、上記昇降操作棒を上方に引き上げることにより、上記容器本体内から昇降板及び蓋体を取り除き、該容器本体内に手を入れて内部の泡をすくう等して取り出し、洗顔等に用いれば良い。
【００１０】
なお、この第１の発明に係る洗浄剤用泡だて器を構成する容器本体は、少なくとも、その形状は、上方に開口が形成され内部に洗浄剤と湯水とを収容する収容空間が形成されたものであれば良く、例えば、平面視における外形形状が円形状又は楕円形状であっても良いばかりか、正方形状や長方形状等の方形状であっても良い。また、上記蓋体は、容器本体の上端側中途部に載置され又は係止され下方に移動することが規制されてなるとともに中央又はその近傍には挿通穴が形成されたものであれば良く、上記容器本体の形状に対応した形状であれば良い。また、上記昇降板は、上記容器本体内において昇降可能な形状や大きさであれば良い。なお、この昇降板は、上記昇降操作棒と一体成形されてなるものであっても良いし、該昇降操作棒とは別体として成形し、該昇降操作棒に着脱可能に取り付けられる構造となっているもの（請求項４記載の発明参照）であっても良い。
【００１１】
なお、上記昇降板に形成された多数の貫通穴は、少なくとも、洗浄剤及び泡が通過するものであれば良く、該貫通穴の内径は、使用する洗浄剤の粘性率や、使用する洗浄剤の量に対して加える湯水の量により適宜設定すれば良いが、凡そ０．５〜５ｍｍとすれば良いく、より好ましくは２〜４ｍｍ程度とすれば良い。
【００１２】
また、この第１の発明は、上記昇降板の下面には、固形石鹸と摺接させることにより該固形石鹸を削ぎ取る削ぎ取り部が形成されてなることを特徴とするものである。
【００１３】
この発明では、前記昇降板の下面には、固形石鹸と摺接させることにより該固形石鹸を削ぎ取る削ぎ取り部が形成されてなることから、洗浄剤として固形石鹸を上記容器本体内に容易に充填することが可能となる。すなわち、この発明によれば、洗浄剤として固形石鹸でも液体石鹸でも使用することができる。
【００１４】
なお、この発明において、上記削ぎ取り部は、昇降板の下面に形成されていれば良く、例えば、該昇降板の下面に複数の突起部を形成したものでも良く、また、上記貫通穴を囲むように形成され、削ぎ取られた固形石鹸が該貫通穴内に侵入する構造（請求項２記載の発明参照）であっても良い。
【００１５】
また、第２の発明（請求項２記載の発明）は、上記第１の発明において、前記削ぎ取り部は、前記各貫通穴を囲むように形成され、削ぎ取られた固形石鹸が該貫通穴内に侵入するように構成されてなることを特徴とするものである。
【００１６】
この第２の発明では、前記削ぎ取り部は、前記各貫通穴を囲むように形成され、削ぎ取られた固形石鹸が該貫通穴内に侵入するように構成されてなることから、上記昇降板を昇降操作した際、削ぎ取られた固形石鹸が常に昇降板の下面に付着し止まってしまうことなく、上記各貫通穴を通過して、該昇降板の上下に繰り返し移動させることが可能となる。したがって、こうした構造を備えた第２の発明によれば、洗浄剤として液体石鹸ばかりではなく固形石鹸を用いて細かい粒子径の泡を作りだすことが可能となる。
【００１７】
また、第３の発明（請求項３記載の発明）は、上記第１又は第２の発明において、前記容器本体は、円形状の底板部と、この底板部から起立してなる円筒状の側板部と、を備え、上記側板部の上縁側には、該上縁側にかけて拡径されてなる拡径部が形成され、前記蓋体は円盤状に成形されてなるとともに、上記拡径部に係止される外径を有してなることを特徴とするものである。
【００１８】
この第３の発明に係る洗浄剤用泡だて器では、前記容器本体は、円形状の底板部と、この底板部から起立してなる円筒状の側板部と、を備え、上記側板部の上縁側には、該上縁側にかけて拡径されてなる拡径部が形成され、前記蓋体は円盤状に成形されてなるとともに、上記拡径部に係止される外径を有してなることから、不用意に蓋体が容器本体内から脱落してしまう危険性が無く、必ず蓋体を容器本体に係止させることができる。特に、容器本体及び蓋体が樹脂により成形されている場合には、容器本体の上端側中途部に載置した後にやや下方に押圧することにより、容器本体の内周面と蓋体の外周面との微妙な撓みにより、該蓋体を容器本体に固定することができるので、上記昇降操作棒を昇降操作する際に、蓋体が上方に移動し、蓋体の下方で作られた泡が外部に漏出することを防止することができる。
【００１９】
また、第４の発明（請求項４記載の発明）係る洗浄剤用泡だて器は、上記第１、第２又は第３の発明の何れかにおいて、前記昇降操作棒と昇降板とは着脱可能とされてなることを特徴とするものである。
【００２０】
この第４の発明に係る洗浄剤用泡だて器では、前記昇降操作棒と昇降板とは着脱可能とされてなることから、該昇降操作棒と昇降板とをそれぞれ別個に洗浄することができ、細部において黴等の細菌の発生によるコンタミネーションを抑制することができ、常に衛生的な状態を維持することができる。
【発明の効果】
【００２１】
上記第１の発明（請求項１記載の発明）に係る洗浄剤用泡だて器によれば、昇降操作棒を昇降操作することにより、簡単に泡を作ることができ、黴等の細菌が繁殖する危険性も回避することができる。
【００２２】
特に、この第１の発明に係る洗浄剤用泡だて器では、上記容器本体の上端側中途部に蓋体が載置され又は係止されており、上記昇降操作棒を下降させることにより昇降板に形成された多数の貫通穴を湯水と混合された洗浄剤が通過することにより作りだされ昇降板の上方に位置した泡は、次いで、上記昇降板が上昇操作されることにより、該蓋体と昇降板とにより泡が圧縮され、この泡は再び上記多数の貫通穴を通過して昇降板の下方に移動する。したがって、こうした昇降板の昇降操作により洗浄剤ばかりではなく、一旦作りだされた泡も繰り返し多数の貫通穴を通過することから、より細かい粒子径の泡を作りだすことができる。
【００２３】
また、この第１の発明では、前記昇降板の下面には、固形石鹸と摺接させることにより該固形石鹸を削ぎ取る削ぎ取り部が形成されてなることから、洗浄剤として固形石鹸を上記容器本体内に容易に充填することが可能となる。
【００２４】
また、第２の発明（請求項２記載の発明）では、前記削ぎ取り部は、前記各貫通穴を囲むように形成され、削ぎ取られた固形石鹸が該貫通穴内に侵入するように構成されてなることから、上記昇降板を昇降操作した際、削ぎ取られた固形石鹸が常に昇降板の下面に付着し止まってしまうことなく、上記各貫通穴を通過して、該昇降板の上下に繰り返し移動させることが可能となる。したがって、こうした構造を備えた第２の発明によれば、洗浄剤として液体石鹸ばかりではなく固形石鹸を用いて細かい粒子径の泡を作りだすことが可能となる。
【００２５】
また、第３の発明（請求項３記載の発明）に係る洗浄剤用泡だて器では、前記容器本体は、円形状の底板部と、この底板部から起立してなる円筒状の側板部と、を備え、上記側板部の上縁側には、該上縁側にかけて拡径されてなる拡径部が形成され、前記蓋体は円盤状に成形されてなるとともに、上記拡径部に係止される外径を有してなることから、不用意に蓋体が容器本体内から脱落してしまう危険性が無く、必ず蓋体を容器本体に係止させることができる。特に、容器本体及び蓋体が樹脂により成形されている場合には、容器本体の上端側中途部に係止した後にやや下方に押圧することにより、容器本体の内周面と蓋体の外周面との微妙な撓みにより、該蓋体を容器本体に固定することができるので、上記昇降操作棒を昇降操作する際に、蓋体が上方に移動し、蓋体の下方で作られた泡が外部に漏出することを防止することができる。
【００２６】
また、第４の発明（請求項４記載の発明）に係る洗浄剤用泡だて器によれば、昇降操作棒と昇降板とをそれぞれ洗浄することができ、細部において黴等の細菌の発生によるコンタミネーションを抑制することができ、常に衛生的に使用し、保存することができる。
【図面の簡単な説明】
【００２７】
【図１】本発明の実施の形態に係る洗浄剤用泡だて器の外観を示す斜視図である。
【図２】図１に示す洗浄剤用泡だて器の容器本体を一部破断して示す斜視図である。
【図３】図１に示す洗浄剤用泡だて器の断面図である。
【図４】蓋体と昇降板と昇降操作棒を分解して示す斜視図である。
【図５】昇降板を示す平面図である。
【図６】図５に示す昇降板のＡ−Ａ線端面図である。
【図７】容器本体内で作られた泡が下方に移動する状態を模式的に示す断面図である。
【図８】ネット（比較例）と洗浄剤用泡だて器（実施例）とにより作られた泡をそれぞれ写真で表し、それぞれの評価基準による結果を示す説明図である。
【図９】ネットにより泡立てた場合（比較例）と、洗浄剤用泡だて器により泡立てた場合（実施例）とを、それぞれ画像測定器を用いて撮影した拡大写真と、測定した泡の粒子を示す説明図である。
【発明を実施するための形態】
【００２８】
以下、本発明を実施するための最良の形態に係る洗浄剤用泡だて器について、図面を参照しながら詳細に説明する。
【００２９】
この発明の実施の形態に係る洗浄剤用泡だて器１は、図１又は図２に示すように、容器本体２と、蓋体３と、昇降操作棒４と、昇降板５（図２参照）とから構成されている。
【００３０】
上記容器本体２、蓋体３、昇降操作棒４、昇降板５は何れもポリプロピレン等の樹脂により一体成形されてなるものであり、上記容器本体２は、図３に示すように、円盤状に成形された底板部２ａと、この底板部２ａの周端から上方に起立してなる側板部２ｂと、この側板部２ｂの上端側から徐々に拡径されてなる拡径部２ｃとから構成され、該拡径部２ｃの上端は波状に成形されている。すなわち、この容器本体２は上方に開口（符号は省略する。）が形成され、内部には、後述する液体石鹸等の洗浄剤と湯水が収容される収容空間（符号は省略する。）が形成されている。なお、この容器本体２の内周面の下側中途部には、底板部２ａよりもやや上方位置に湯水を充填する量（高さ）を示す図示しないレベル表示部が該容器本体２の周回り方向に表示されている。
【００３１】
また、上記蓋体３は、図２及び図４に示すように、円盤状に成形され、上記拡径部２ｃの下端側の内径寸法よりもやや長い外形に成形されている。また、この蓋体３の中央には、円形状の挿通穴３ａが形成されている。
【００３２】
また、上記昇降板５は、図４に示すように、上記蓋体３及び上記底板部２ａの外形寸法よりも僅かに小径に成形されているとともに、図５に示すように、該昇降板５の中央には、上方に膨出した筒状部５ａが形成され、この筒状部５ａの内周面には一方のネジ部（ナット部）５ｂが形成されている。また、この昇降板５には、後述するように、液体石鹸等の洗浄剤等が通過する多数の貫通穴５ｃが形成されている。そして、これらの貫通穴５ｃが形成された昇降板５の下面には、図６に示すように、該貫通穴５ｃを囲むリング状の削ぎ取り部５ｄが該昇降板５の下方に垂下している。これらの削ぎ取り部５ｄは、図示しない固形石鹸の表面と上記昇降板５の下面とを摺接させることにより、固形石鹸を削ぎ取る機能を果たすものであり、上記要領で削ぎ取られた固形石鹸は、上記各貫通穴５ｃ内やその周辺に付着する。
【００３３】
また、上記昇降操作棒４の上端には、図１、図２又は図３に示すように、リング状に成形され中央には円形状の開口４ａが設けられた昇降操作部４ｂが形成され、この昇降操作部４ｂの下方には大径部４ｃが形成されている。また、この昇降操作棒４の下端には、図４に示すように、上記昇降板５の中央に形成された一方のネジ部５ｂに螺着される他方のネジ部（ボルト部）４ｄが形成されている。なお、上記蓋体３の中央に形成された挿通穴３ａの径は、上記大径部４ｃの外径より短いものとされている。
【００３４】
そして、上記昇降操作棒４の中途部は、上記蓋体３に形成された挿通穴３ａに挿通され、また、該昇降操作棒４の下端は、上記一方のネジ部５ｂと他方のネジ部４ｄとが螺着されて互いに固定されている。
【００３５】
次に、このように構成された洗浄剤用泡だて器１を使用することにより泡を作る方法について順次説明する。
【００３６】
先ず、上記容器本体２内に上記図示しないレベル表示部を目安に湯水を充填し、次いで、適量の洗浄剤（符号は省略する。）を充填する。この洗浄剤としては、液体石鹸が良好であり、この洗浄剤と湯水とを合わせた全体の充填量は、上記容器本体２の容量の約半分程度とする。そして、このように洗浄剤等の収容作業が終了すると、図３に示すように、上記昇降操作棒４と蓋体３と昇降板５とが一体化された状態で、該蓋体３が容器本体２を構成する拡径部２ｃに係止されるようセットする。なお、洗浄剤として、上記液体石鹸ではなく、固形石鹸を使用する場合には、先に説明したように、昇降板５の下面と固形石鹸とを摺接させ、該固形石鹸を削ぎ取り、上記各貫通穴５ｃ内やその周辺に付着させ、適量の湯水を容器本体２内に充填する。
【００３７】
そして、上記セットが完了すると、次いで、上記昇降操作棒４の上端に形成された昇降操作部４ｂを（例えば）効き手で把持する等するとともに、他方の手で上記容器本体２を保持しながら、上記昇降操作棒４を昇降操作する。こうした昇降操作棒４の昇降操作により、上記容器本体２内に位置する昇降板５は、該容器本体２内において昇降し、こうした昇降操作を繰り返すことにより、容器本体２内には、細かい粒子径の泡が作られる。
【００３８】
こうした泡が作られる過程・工程を詳述すると、図７に示すように、最も下方に位置する昇降板５を、上記昇降操作棒４を上昇させることにより、洗浄剤と湯水との混合物Ｄは、上記多数の貫通穴５ｃや昇降板５の外周面と容器本体２の側板部２ｂの内周面との隙間とを通過して該昇降板５の下方に移動する。次いで、この昇降板５を下降操作すると、再び上記混合物は上記多数の貫通穴５ｃ等を通過して昇降板５の上方に移動するとともに、容器本体２内においては、徐々に泡Ｆが作られる。なお、上記削ぎ取り部５ｄを利用して固形石鹸を利用した場合においては、上記各貫通穴５ｃ内に侵入していた固形石鹸は、上記昇降操作棒４の下降操作により、湯水の圧力によって昇降板５の上方に移動し、上昇操作により下方に移動することとなり、液体石鹸を使用した場合と同じように、細かい粒子径の泡Ｆが作り出される。
【００３９】
そして、こうした過程で作られた泡Ｆは、下方に位置する昇降板５を上昇操作することにより、混合物Ｄの上部に位置した状態から、該昇降板５と上記蓋体３との間に挟まれ圧縮されることにより、上記貫通穴５ｃ等を通過して昇降板５の下方に移動し、次いで、昇降板５を下降操作することにより、該昇降板５の下方に位置する泡Ｆが再び昇降板５の上方に移動する。すなわち、この実施の形態に係る洗浄剤用泡だて器１を使用することにより、容器本体２内で作られた泡Ｆは、上記昇降板５と上記蓋体３との間で挟まれ圧縮されることから繰り返して上記貫通穴５ｃを通過することから、より細かい粒子径の泡Ｆを作ることが可能となる。
【００４０】
そして、このような操作により、上記容器本体２内に所定の泡Ｆが作り出されると、次いで、上記昇降操作棒４を上方に引き上げ、容器本体内２内から上記蓋体３と昇降板５とを取り出す。この際、上記昇降板５は、上記昇降操作棒４の引き上げ操作により、徐々に蓋体３に接近することにより、該昇降板５の上方に位置していた泡Ｆは、上記多数の貫通穴５ｃを通過して該昇降板５の下方に移動する。そして、さらに昇降操作棒４を上方に引き上げると、上記昇降板５が上記蓋体３に当接し、該昇降板５と蓋体３とは一体的に容器本体２内から取り出される。この結果、容器本体２内では、その比重から、多くの泡Ｆが上方に位置し、泡Ｆとなっていない洗浄剤と湯水との混合物Ｄは下方に位置していることから、使用者は、手を容器本体２内に挿入し適量の泡Ｆをすくい上げることにより、洗顔等に用いることができる。特に、この実施の形態に係る洗浄剤用泡だて器１によれば、後述する実施例の説明からも明らかなように、個々の泡の粒子径は極めて細かいことから、一旦所定量の泡が容器本体２内から取り出され、一部容器本体２内に残されている場合であっても、洗顔中にこの残った泡Ｆが弾けて再び液体に戻ってしまうことが抑制されることから、一度作りだした泡Ｆを複数回に亘って使用することが可能となる。
【実施例】
【００４１】
図８は、従来使用されているネットにより２０秒間に亘って泡立てた場合（比較例）と、上記実施の形態に係る洗浄剤用泡だて器１により２０秒間に亘って泡立てた場合（実施例）とを、写真と共に表し、それぞれ「泡の量」、「泡の粗さ」、「泡の弾力性」という評価基準で評価したものである。なお、比較例と実施例とで使用した洗浄剤の量及び湯水の量は同量である。また、昇降板５に形成された貫通穴５ｃの内径は３ｍｍとし、その数は７２個とした。
【００４２】
この結果、上記ネットを使用した場合、「泡の量」は少なく、これに比べて洗浄剤用泡だて器１を使用した場合では、多かった。また、「泡の粗さ」に関しては、上記ネットを使用した場合には粗く、これに比べて洗浄剤用泡だて器１を使用した場合には、細かかった。また、「泡の弾力性」に関しては、上記ネットを使用した場合には弾力性が弱く、これに比べて洗浄剤用泡だて器１を使用した場合には、高い弾力性が確認された。
【００４３】
また、図９は、従来使用されているネットにより泡立てた場合（比較例）と、上記実施の形態に係る洗浄剤用泡だて器１により泡立てた場合（実施例）とを、それぞれ画像測定器を用いて撮影した拡大写真と、測定した泡の粒子を示すものである。
【００４４】
この図９からも明らかなように、１０秒間に亘って泡立てた場合、ネットを使用したものでは、５２６μｍであったが、この実施の形態に係る洗浄剤用泡だて器１を使用した場合には、５０μｍであった。また、２０秒間に亘って泡立てた場合、ネットを使用したものでは、２６９μｍであり、時間の経過により粒子径は小さくなったことが確認されたが、この実施の形態に係る洗浄剤用泡だて器１を使用した場合には、より細かい粒子径である３９μｍであったことが確認された。なお、この実施の形態に係る洗浄剤用泡だて器１を使用して、６０秒間に亘って泡立てた場合には、さらに細かい３１μｍとなったことを確認することができた。
【００４５】
上記各実施例と比較例との比較結果からも明らかなように、この実施の形態に係る洗浄剤用泡だて器１によれば、極めて弾力性があり、粒子径の細かい泡を簡単に作ることができ、洗顔の際にこの泡を使用する場合には、皮膚を傷つけることなく皮膚の表面に存在する汚れを有効に除去することができる。
【００４６】
なお、上記実施の形態に係る洗浄剤用泡だて器１では、上記容器本体２の上端側中途部に蓋体３が載置されるものを図示して説明したが、この蓋体３は上記容器本体２の上端側中途部に係止され、その係止位置から下方に移動することが規制されるばかりではなく、上方にも不用意に移動（容器本体２から脱落）することが防止されたものであっても良い。この洗浄剤用泡だて器１は、例えば、上記容器本体２の内周面であって上端側中途部に該容器本体２の中心方向に突出した幅を備えた図示しないリング状の載置部が形成され、また、上記載置部の上方には蓋体３の肉厚よりも若干長い間隔隔てて凸部が形成され、上記蓋体の外径は上記フランジ部の内径よりも長い寸法に成形されている。また、上記凸部は、容器本体の周回り方向に複数形成されている。そして、上記蓋体３を上記複数の凸部の上方から下方に押圧することにより、該蓋体３と容器本体２とが僅かに撓んで、該蓋体３が上記凸部を乗り越えて載置部との間に嵌合されるように構成されている。こうした構造に係る洗浄剤用泡だて器による場合であっても、上記実施の形態で説明した洗浄剤用泡だて器１と同様の作用効果を有するとともに、不用意に蓋体３が容器本体３から脱落することを防止することができる。
【符号の説明】
【００４７】
１  洗浄剤用泡だて器
２  容器本体
２ａ  底板部
２ｂ  側板部
２ｃ  拡径部
３  蓋体
３ａ  挿通穴
４  昇降操作棒
４ｂ  昇降操作部
４ｄ  他方のネジ部
５  昇降板
５ｂ  一方のネジ部
５ｃ  貫通穴
５ｄ  削ぎ取り部
Ｄ  洗浄剤と湯水の混合物
Ｆ  泡
【図１】
0005957019.tif 000002
【図２】
0005957019.tif 000003
【図３】
0005957019.tif 000004
【図４】
0005957019.tif 000005
【図５】
0005957019.tif 000006
【図６】
0005957019.tif 000007
【図７】
0005957019.tif 000008
【図８】
0005957019.tif 000009
【図９】
0005957019.tif 000010